(57)【要約】【課題】サポートフレームと液晶表示パネルが接触することにより発生する異物質によって液晶表示装置が汚染され、外観表示不良が起こるのを抑制することが可能な、液晶表示装置を提供することを目的とする。【解決手段】本発明に係る液晶表示装置は、液晶表示パネル３００、液晶表示パネル３００を支持するサポートフレーム１００を備え、サポートフレーム１００は液晶表示パネル側面３１０と点接触又は線接触することを特徴とする。【選択図】  図２
2009237431.tif 000002
【特許請求の範囲】
【請求項１】
液晶表示パネルと、
前記液晶表示パネルを支持するサポートフレームと、を備え、
前記サポートフレームは前記液晶表示パネルの側面と点接触又は線接触することを特徴とする、
液晶表示装置。
【請求項２】
前記サポートフレームは、
前記液晶表示パネルを支持し、前記液晶表示パネルに光を供給するための開口を有する第１サポートフレームと、
前記第１サポートフレームの縁に配置され、前記液晶表示パネルの側面を囲む第２サポートフレームと、
前記第２サポートフレームの前記液晶表示パネルに対応する面に配置され、前記液晶表示パネルの側面と点接触又は線接触する第３サポートフレームと、を備える、
請求項１に記載の液晶表示装置。
【請求項３】
前記第３サポートフレームは、前記第２サポートフレームの前記液晶表示パネルに対応する面に配置された凸部で構成されることを特徴とする、請求項２に記載の液晶表示装置。
【請求項４】
前記第３サポートフレームは、前記液晶表示パネルとの接触部の面積が、点接触の場合は最大直径０．３ｍｍ以下、線接触の場合は線最大幅０．３ｍｍ以下、であることを特徴とする、請求項２に記載の液晶表示装置。
【発明の詳細な説明】
【技術分野】
【０００１】
本発明は液晶表示装置に関し、特に液晶表示パネルを支持するサポートフレームに関する。
【背景技術】
【０００２】
一般に、液晶表示装置は、液晶を用いて映像を表示する。
【０００３】
また、液晶表示装置は、映像を表示するために面状光源装置、液晶表示パネルを含み、面状光源装置及び液晶表示パネルは収納容器に収納される。この際、面状光源装置と液晶表示パネルとの間に存在する異物質は、光の進行を妨害して画質を低下させる。
【０００４】
液晶表示装置が異物質に汚染されることを防止するために、面状光源装置及び液晶表示パネルは非常に清浄な環境で製作され、例えば特許文献１の図４のように収納容器に組み立てられる。
【０００５】
【特許文献１】特開２００７−３８５８号公報
【発明の開示】
【発明が解決しようとする課題】
【０００６】
しかしながら大部分の液晶表示装置は、面状光源装置と液晶表示パネルを重ね合わせ液晶表示装置を組み立てる際の重ね合わせ位置ズレや、組み立て後の振動衝撃等により、液晶表示パネルを支持する液晶表示パネル支持体（以下、サポートフレームとする。）が摩耗発塵するので、多数の異物により液晶表示装置が汚染され、これにより液晶表示装置の表示品質が低下する場合があるという問題点を有する。
【０００７】
また、サポートフレームの液晶表示パネルの側面に対応する部分は、一般にフラット形状（例えば、特許文献の図１、図４参照）の面であり、液晶表示パネルとの接触面積が大きく、サポートフレームと液晶表示パネルとの接触による摩耗発塵が発生した場合、発塵物質の直径寸法が大きくなり、これにより液晶表示装置の異物による外観表示不良が顕著となり表示品質が低下するという問題点を有する。
【０００８】
本発明は上述の問題点を解決するためになされたものであり、サポートフレームと液晶表示パネルが接触することにより発生する異物質によって液晶表示装置が汚染され、外観表示不良が起こるのを抑制することが可能な、液晶表示装置を提供することを目的とする。
【課題を解決するための手段】
【０００９】
上記課題を解決するために、本発明に係る液晶表示装置は、液晶表示パネル、液晶表示パネルを支持するサポートフレームを備え、サポートフレームは液晶表示パネルの側面と点接触又は線接触することを特徴とする。
【発明の効果】
【００１０】
本発明により、サポートフレームの液晶表示パネル側面との接触部を点接触又は線接触とし小さくした為、サポートフレームと液晶表示パネルが接触し、サポートフレームが摩耗発塵した場合でも、発塵物質の外形寸法を極小化することが可能となり、発塵物質が液晶表示パネルと面上光源装置の間に侵入した場合でも、発塵物質の外形寸法規格により、外観表示不良となる確率を低下させ、外観表示不良を抑制することが可能となる。製造工程においては、歩留まりの向上、あるいは粉塵を除去するといった工程を抑制することが可能である。
【発明を実施するための最良の形態】
【００１１】
以下、この発明をその実施の形態を示す図面に基づいて具体的に説明する。
【００１２】
＜実施の形態１＞
（構成）
図１は、実施の形態１に係る液晶表示パネル支持体であるサポートフレーム１００を示した平面図であり、図２は図１のＡ−Ａ’断面図である。なお図２において、搭載される予定の液晶表示パネル３００を破線で記述してある。液晶表示装置は、液晶表示パネル３００と、液晶表示パネル３００を支持するサポートフレーム１００を備える。
【００１３】
サポートフレーム１００は、第１サポートフレーム１１０、第２サポートフレーム１１５、及び、第３サポートフレーム１２０を備える。
【００１４】
第１サポートフレーム１１０は、液晶表示パネル底面３０５を支持し、液晶表示パネル３００に光を供給するための中央に形成された開口１０５を有する。液晶表示パネル底面３０５、及び、第１サポートフレーム１１０は長方形形状である。
【００１５】
第２サポートフレーム１１５は、第１サポートフレーム１１０の縁に配置され、第１サポートフレーム１１０から液晶表示パネル側面３１０に沿って延長されて液晶表示パネル３００の側面を囲む。第１サポートフレーム１１０および第２サポートフレーム１１５を含むサポートフレーム１００は、射出形成により一体に製作されるか、第１サポートフレーム１１０に第２サポートフレーム１１５を付着して製作することができる。
【００１６】
第３サポートフレーム１２０は、第２サポートフレーム１１５の液晶表示パネル３００に対応する面に配置され、第２サポートフレーム１１５から液晶表示パネル３００の側面３１０に向かった凸部で構成され、液晶表示パネル側面３１０を支持する。この際、第３サポートフレーム１２０は、複数の凸部を含むこともできる。第２サポートフレーム１１５および第３サポートフレーム１２０は、射出形成により一体に製作されるか、第２サポートフレーム１１５に第３サポートフレーム１２０を付着して製作することができる。
【００１７】
本実施の形態において、第３サポートフレーム１２０の凸部は、液晶表示パネル側面３１０との接触部において、点接触となる四角錐形状を有する。また、第３サポートフレーム１２０の凸部先端は、液晶表示パネル側面３１０との接触点において、接触点面積の最大直径が０．３ｍｍ以下である。
【００１８】
（動作）
液晶表示パネル３００をサポートフレーム１００に組み込み、液晶表示装置を組み立てる際について、液晶表示パネル側面３１０は四角錐形状の第３サポートフレームの頂点と点接触となる。また、組み立てられた状態の液晶表示装置における振動衝撃時についても、液晶表示パネル側面３１０は四角錐形状の第３サポートフレームの頂点と点接触となる。
【００１９】
（効果）
液晶表示パネル側面３１０は四角錐形状の第３サポートフレームの頂点と点接触で接触するため、第３サポートフレーム１２０は、液晶表示パネル側面３１０を支持するにあたり、接触し摩耗発塵した場合でも、発塵物質の外形サイズが極小である。従って、発塵物質が液晶表示パネル３００と面状光源装置の間に侵入した場合でも、発塵物質の直径寸法規格により、外観表示不良となる確率を低下させることが可能となり、外観表示不良を抑制することが可能となる。製造工程においては、歩留まりの向上、あるいは粉塵を除去するといった工程を抑制することが可能である。
【００２０】
＜実施の形態２＞
（構成）
図３は、実施の形態２に係るサポートフレーム１００を示した平面図であり、図４は図３のＡ−Ａ’断面図である。同図において、実施の形態１で図１〜図２に示したものと同様の機能を有する要素には、同一の符号を付してある。
【００２１】
本実施の形態における第３サポートフレーム１２０の凸部は、液晶表示パネル側面３１０との接触部において、点接触となる円錐形状を有する。また、第３サポートフレーム１２０の凸部先端は、液晶表示パネル側面３１０との接触点において、接触点面積の最大直径が０．３ｍｍ以下である。その他の構成は実施の形態１と同様であるため、ここでの詳細な説明は省略する。
【００２２】
（動作）
液晶表示パネル３００をサポートフレーム１００に組み込み、液晶表示装置を組み立てる際について、液晶表示パネル側面３１０は円錐形状の第３サポートフレームの頂点と点接触となる。また、組み立てられた状態の液晶表示装置における振動衝撃時についても、液晶表示パネル側面３１０は円錐形状の第３サポートフレームの頂点と点接触となる。
【００２３】
（効果）
実施の形態１と同様に、液晶表示パネル側面３１０は円錐形状の第３サポートフレームの頂点と点接触で接触するため、発塵物質の外形サイズが極小である。従って、発塵物質が液晶表示パネルと面状光源装置の間に侵入した場合でも、発塵物質の直径寸法規格により、外観表示不良となる確率を低下させることが可能となり、外観表示不良を抑制することが可能となる。
【００２４】
＜実施の形態３＞
（構成）
図５は、実施の形態３に係るサポートフレーム１００を示した平面図であり、図６は図５のＡ−Ａ’断面図である。同図において、実施の形態１で図１〜図２に示したものと同様の機能を有する要素には、同一の符号を付してある。
【００２５】
本実施の形態における第３サポートフレーム１２０の凸部は、液晶表示パネル側面３１０との接触部において、点接触となる半球形状を有する。また、第３サポートフレーム１２０の凸部先端は、液晶表示パネル側面３１０との接触点において、接触点面積の最大直径が０．３ｍｍ以下である。その他の構成は実施の形態１と同様であるため、ここでの詳細な説明は省略する。
【００２６】
（動作）
液晶表示パネル３００をサポートフレーム１００に組み込み、液晶表示装置を組み立てる際について、液晶表示パネル側面３１０は半球形状の第３サポートフレームの頂点と点接触となる。また、組み立てられた状態の液晶表示装置における振動衝撃時についても、液晶表示パネル側面３１０は半球形状の第３サポートフレームの頂点と点接触となる。
【００２７】
（効果）
実施の形態１と同様に、液晶表示パネル側面３１０は半球形状の第３サポートフレームの頂点と点接触で接触するため、発塵物質の外形サイズが極小である。従って、発塵物質が液晶表示パネルと面状光源装置の間に侵入した場合でも、発塵物質の直径寸法規格により、外観表示不良となる確率を低下させることが可能となり、外観表示不良を抑制することが可能となる。
【００２８】
＜実施の形態４＞
（構成）
図７は、実施の形態４に係るサポートフレーム１００を示した平面図であり、図８は図７のＡ−Ａ’断面図である。同図において、実施の形態１で図１〜図２に示したものと同様の機能を有する要素には、同一の符号を付してある。
【００２９】
本実施の形態における第３サポートフレーム１２０の凸部は、液晶表示パネル側面３１０との接触部において、線接触となる三角柱形状を有する。また、第３サポートフレーム１２０の凸部先端は、液晶表示パネル側面３１０との接触部において、線最大幅が０．３ｍｍ以下である。その他の構成は実施の形態１と同様であるため、ここでの詳細な説明は省略する。
【００３０】
（動作）
液晶表示パネル３００をサポートフレーム１００に組み込み、液晶表示装置を組み立てる際について、液晶表示パネル側面３１０は三角柱形状の第３サポートフレームの頂点と線接触となる。また、組み立てられた状態の液晶表示装置における振動衝撃時についても、液晶表示パネル側面３１０は三角柱形状の第３サポートフレームの頂点と線接触となる。
【００３１】
（効果）
液晶表示パネル側面３１０は三角柱形状の第３サポートフレームの頂点と線接触で接触するため、第３サポートフレーム１２０は、液晶表示パネル側面３１０を支持するにあたり、接触し摩耗発塵した場合でも、発塵物質の外形サイズが極小である。従って、発塵物質が液晶表示パネル３００と面状光源装置の間に侵入した場合でも、発塵物質の直径寸法規格により、外観表示不良となる確率を低下させることが可能となり、外観表示不良を抑制することが可能となる。
【００３２】
＜実施の形態５＞
（構成）
図９は、実施の形態５に係るサポートフレーム１００を示した平面図であり、図８は図７のＡ−Ａ’断面図である。同図において、実施の形態１で図１〜図２に示したものと同様の機能を有する要素には、同一の符号を付してある。
【００３３】
本実施の形態における第３サポートフレーム１２０の凸部は、液晶表示パネル側面３１０との接触部において、線接触となる半円柱形状を有する。第３サポートフレーム１２０の凸部先端は、液晶表示パネル側面３１０との接触点において、接触部の最大線幅が０．３ｍｍ以下である。その他の構成は実施の形態１と同様であるため、ここでの詳細な説明は省略する。
【００３４】
（動作）
液晶表示パネル３００をサポートフレーム１００に組み込み、液晶表示装置を組み立てる際について、液晶表示パネル側面３１０は半円柱形状の第３サポートフレームの頂点と線接触となる。また、組み立てられた状態の液晶表示装置における振動衝撃時についても、液晶表示パネル側面３１０は半円柱形状の第３サポートフレームの頂点と線接触となる。
【００３５】
（効果）
実施の形態４と同様に、液晶表示パネル側面３１０は半円柱形状の第３サポートフレームの頂点と線接触で接触するため、発塵物質の外形サイズが極小である。従って、発塵物質が液晶表示パネルと面状光源装置の間に侵入した場合でも、発塵物質の直径寸法規格により、外観表示不良となる確率を低下させることが可能となり、外観表示不良を抑制することが可能となる。
【図面の簡単な説明】
【００３６】
【図１】本発明の実施の形態１に係るサポートフレームを示した平面図である。
【図２】本発明の実施の形態１に係るサポートフレームを示した断面図である。
【図３】本発明の実施の形態２に係るサポートフレームを示した平面図である。
【図４】本発明の実施の形態２に係るサポートフレームを示した断面図である。
【図５】本発明の実施の形態３に係るサポートフレームを示した平面図である。
【図６】本発明の実施の形態３に係るサポートフレームを示した断面図である。
【図７】本発明の実施の形態４に係るサポートフレームを示した平面図である。
【図８】本発明の実施の形態４に係るサポートフレームを示した断面図である。
【図９】本発明の実施の形態５に係るサポートフレームを示した平面図である。
【図１０】本発明の実施の形態５に係るサポートフレームを示した断面図である。
【符号の説明】
【００３７】
１００  サポートフレーム、１０５  開口、１１０  第１サポートフレーム、１１５  第２サポートフレーム、１２０  第３サポートフレーム、３００  液晶表示パネル、３０５  液晶表示パネル底面、３１０  液晶表示パネル側面。
【図１】
2009237431.tif 000003
【図２】
2009237431.tif 000004
【図３】
2009237431.tif 000005
【図４】
2009237431.tif 000006
【図５】
2009237431.tif 000007
【図６】
2009237431.tif 000008
【図７】
2009237431.tif 000009
【図８】
2009237431.tif 000010
【図９】
2009237431.tif 000011
【図１０】
2009237431.tif 000012